(57)【要約】【課題】大掛かりな取付工事を必要としなく、表示体の傾き角度調整を容易にできる、支持装置を提供する。【解決手段】壁５に取り付けられた基台２と、曲線状の端部１３が形成され、前記基台２の前面側に固定された支持板６と、表示体３と、断面が略コ字状の各保持部１８が形成され、前記表示体３の後面側に各々固定された第１固定板１７および第２固定板とを備え、各保持部１８が前記端部１３により支持され、案内される。好ましくは、各保持部１８が前記端部１３により案内される事により、前記表示体３が回転され、傾き角度が調整可能に構成された。【選択図】    図３
2005007054.tif 000002
【特許請求の範囲】
【請求項１】
壁に取り付けられた基台と、曲線状の端部が形成され、前記基台の前面側に固定された支持板と、表示体と、断面が略コ字状の各保持部が形成され、前記表示体の後面側に各々固定された第１固定板および第２固定板とを備え、各保持部が前記端部により支持され、案内されることを特徴とする支持装置。
【請求項２】
各保持部が前記端部により案内される事により、前記表示体が回転され、傾き角度が調整可能に構成されたことを特徴とする請求項１の支持装置。
【請求項３】
前記端部は定点を中心とした円弧状に形成され、前記第１固定板と前記第２固定板は、前記定点に対し、左右に振り分けて配置されたことを特徴とする請求項１の支持装置。
【請求項４】
前記表示体の傾き角度が調整された後に、前記支持体に対し前記表示体を固定する固定手段を設けたことを特徴とする請求項１の支持装置。
【発明の詳細な説明】
【０００１】
【発明の属する技術分野】
本発明は支持装置に関する。
【０００２】
【従来の技術】
従来、この種の支持装置は例えば特許文献１に示されている。この特許文献１によると、壁に開口部を形成し、開口部に枠部材を嵌め込んでいる。そして、表示体を設ける時には、枠部材に対し、表示体を固定している。この様に、壁に開口部を形成するので、大掛かりな取付工事が必要となる、第１の欠点がある。
【０００３】
【特許文献１】
特開平９−２４２４２７号公報
【０００４】
【発明が解決しようとする課題】
上記欠点を解消するために、本発明者は、図４に示す基台１００を製作した。基台１００では、孔１０１が形成され、前面側に位置する載置部１０２が形成され、２個の長孔１０３が形成されている。ボルト１０４は、この孔１０１を貫通し、壁にネジ込まれている。表示体１０５の後面側に、２個のボルトが固定されこのボルトの頭が長孔１０３に挿入される事により、表示体１０５は基台１００に対して固定されている。
【０００５】
この様に、表示体１０５は基台１００に対し、調整なしに固定されるので、基台１００が水平線に対して傾いている時、表示体１０５も傾き、傾き角度が調整できない、第２の欠点がある。故に、本発明はこの様な従来の欠点を考慮し、大掛かりな取付工事を必要としなく、表示体の傾き調整が容易にできる、支持装置を提供する。
【０００６】
【課題を解決するための手段】
上記課題を解決するために、請求項１の本発明では、壁に取り付けられた基台と、曲線状の端部が形成され、前記基台の前面側に固定された支持板と、表示体と、断面が略コ字状の各保持部が形成され、前記表示体の後面側に各々固定された第１固定板および第２固定板とを備え、各保持部が前記端部により支持され、案内される。
【０００７】
請求項２の本発明では、各保持部が前記端部により案内される事により、前記表示体が回転され、傾き角度が調整可能に構成された。
【０００８】
請求項３の本発明では、前記端部は定点を中心とした円弧状に形成され、前記第１固定板と前記第２固定板は、前記定点に対し、左右に振り分けて配置されたものである。
【０００９】
請求項４の本発明では、前記表示体の傾き角度が調整された後に、前記支持体に対し前記表示体を固定する固定手段を設けた。
【００１０】
【発明の実施の形態】
以下に、図１ないし図３に従い、本発明の実施の形態に係る支持装置１を説明する。図１（ａ）は、この支持装置１を構成する基台２等を前面側Ｚ２から見た図面、図１（ｂ）は図１（ａ）のＡ１Ａ２断面図である。図２は、支持装置１を構成する表示体３等を後面側Ｚ１から見た図面、図３は図２のＢ１Ｂ２断面図である。
【００１１】
これらの図において、基台２は例えば金属板等からなり、前面側Ｚ２から見れば、略長方形の形状をしている。基台２の４ケ所には、孔が形成されている。４個のボルトは、基台２に形成された孔を貫通し、壁５にネジ込まれている。この様にして、基台２は壁５に取りつけられている。
【００１２】
支持板６は例えば金属板等からなり、フランジ７と、垂直部８と、水平部９と垂直部１０と、フランジ１１と、垂直部１２と、端部１３などから構成されている。
【００１３】
フランジ７，１１は基台２に当接する部分である。垂直部８，１０は各々、フランジ７，１１に対し、直角に曲げられた部分である。水平部９は垂直部８，１０に対し、直角に曲げられた部分である。垂直部１２は、下面側Ｙ１において、水平部９に対し、直角に曲げられた部分である。
【００１４】
端部１３は水平部９の上面側Ｙ２において、形成された曲線状の部分である。好ましくは、端部１３は定点１４を中心とし、半径Ｒからなる円弧状に形成されている。
【００１５】
フランジ７，１１はスポット溶接、又はボルト、又はリベット等により、基台２に固定されている。この様に、支持板６は、曲線状の端部１３が形成され、基台２の前面側Ｚ２に固定されている。
【００１６】
表示体３は例えばケーシング１５と、液晶パネル１６等からなる。ケーシング１５は例えば、前面側Ｚ２に開口部が形成され、横が約９４ｃｍ、縦が約６０ｃｍ、奥行きが約１２ｃｍの大きさである。液晶パネル１６は４０インチのものであり、表示体３の重さは、約３０ｋｇである。
【００１７】
第１固定板１７は例えば金属等からなる。第１固定板１７は、正面から見れば（図２参照）、略長方形状に形成されている。第１固定板１７は断面して見れば（図３参照）、略コ字状の保持部１８と、それにつながる水平部１９とからなる。ボルト２０，２１は各々、水平部１９に形成された孔を貫通し、表示体３にネジ止めされている。
【００１８】
同様に、第２固定板２２は例えば金属等からなる。第２固定板２２は、正面から見れば（図２参照）、略長方形状に形成されている。第２固定板２２は断面して見れば、略コ字状の保持部２３と、それにつながる水平部２４とから成る。ボルト２５，２６は各々、水平部２４に形成された孔を貫通し、表示体３にネジ止めされている。
【００１９】
この様に、第１固定板１７および第２固定板２２は、断面が略コ字状の各保持部１８，２３が形成され、表示体３の後面側Ｚ１にて、各々固定されている。第１固定板１７と第２固定板２２は、定点１４に対し、左右に振り分けて（好ましくは、均等に振り分けて）、配置されている。
【００２０】
上記構成により、表示体３に固定された第１固定板１７および第２固定板２２に各々形成された保持部１８，２３は、支持板６に形成された端部１３上に支持されている。
【００２１】
また、端部１３は曲線状に形成されているので、端部１３上に支持された保持部１８，２３は、端部１３の形状に沿って移動できる。この様に、各保持部１８，２３が端部１３により支持され、案内される様に、構成されている。
【００２２】
例えば、施工者が、表示体３の上面右端部Ｃ１を押した場合、第１固定板１７および第２固定板２２に形成された各保持部１８，２３は、端部１３に沿って、左方向Ｘ１に移動する。その結果、表示体３ａは時計回りに少し回転し、表示体３ａの傾き角度が調整される。
【００２３】
また、施工者が表示体３の上面左端部Ｃ２を押した場合、各保持部１８，２３は、端部１３に沿って右方向Ｘ２に移動する。その結果として、表示体３ｂ（図示せず）は反時計回りに少し回転し、表示体３ｂの傾き角度が調整される。
【００２４】
この様に、各保持部１８，２３が端部１３により案内される事により、表示体３が回転され、傾き角度が調整可能に構成されている。
【００２５】
例えば、施工者が表示体３の上面に水準器を置き、表示体３の水平度を監視しながら、表示体３の右端Ｃ１又は左端Ｃ２を押す。この時、表示体３は重たくても、施工者は、右端Ｃ１又は左Ｃ２を少しの力で押すことにより、表示体３は容易に回転し、停止する。この様にして、施工者は表示体３の水平度を容易に得る事ができる。
【００２６】
第３固定板２７は例えば金属板等からなり、載置部２８と、それを直角に曲げた取付部２９等から構成されている。第３固定板２７は例えば、定点１４の真下に位置する様に、表示体３に固定されている。具体的には、第３固定板２７の載置部２８は、スポット溶接又はボルト止め又はリベット止めにより、表示体３の後面側Ｚ１に固定されている。
【００２７】
第３固定２７の取付部２９は、横方向Ｘ１−Ｘ２に沿って、長孔が形成されている。また、取付部２９と、支持板６の垂直部１２との間に、所定の隙間が生じる様に、第３固定板２７は配置されている。
【００２８】
ボルト３０は、取付部２９の長孔を貫通し、垂直部１２に形成されたネジ孔にネジ止めされている。上述した様に、施工者は表示体３の水平度が得られた後にボルト３０にて、表示体３の位置を固定する。
【００２９】
この様に、第３固定板２７とボルト３０等により、固定手段３１は構成されている。即ち、表示体３の傾き角度が調整された後に、支持板６に対し、表示体３を固定する固定手段３１が設けられている。この構成により、この支持装置１に対し、振動等が加わった時、支持装置を構成する表示体３は、初期設定された傾き角度（即ち、水平度）が、長時間、維持される。
【００３０】
【発明の効果】
請求項１の本発明では、壁に取り付けられた基台と、曲線状の端部が形成され、前記基台の前面側に固定された支持板と、表示体と、断面が略コ字状の各保持部が形成され、前記表示体の後面側に各々固定された第１固定板および第２固定板とを備え、各保持部が前記端部により支持され、案内される。この様に、表示体に固定された第１固定板および第２固定板に形成された各保持部が、基台に固定された支持板の端部により案内されるので、表示体の傾き角度を容易に調整する事ができる。
【００３１】
請求項２の本発明では、各保持部が前記端部により案内される事により、前記表示体が回転され、傾き角度が調整可能に構成された。上記構成により、傾き角度を調整するので、大掛かりな取付工事が不要となる。
【００３２】
請求項３の本発明では、前記端部は定点を中心とした円弧状に形成され、第１固定板と前記第２固定板は前記定点に対し、左右に振り分けて配置された。上記構成により、施工者は、表示体の右端又は左端に少しの力を加えるだけで、表示体の傾き角度を調整できる。
【００３３】
請求項４の本発明では、前記表示体の傾き角度が調整された後に、前記支持体に対し前記表示体を固定する固定手段を設けた。上記構成により、この支持装置に対し振動等が加わっても、表示体において、初期設定された傾き角度（即ち、水平度）は、長時間、維持される。
【図面の簡単な説明】
【図１】図１（ａ）は、本発明の実施の形態に係る支持装置１を構成する基台２等を前面側から見た図面、図１（ｂ）は図１（ａ）のＡ１Ａ２断面図である。
【図２】上記支持装置１を構成する表示体３等を後面側から見た図面である。
【図３】図２のＢ１Ｂ２断面図である。
【図４】従来の基台１００および表示体１０５を示す図面である。
【符号の説明】
２  基台
３  表示体
５  壁
６  支持板
１３  端部
１７  第１固定板
１８  保持部
【図１】
2005007054.tif 000003
【図２】
2005007054.tif 000004
【図３】
2005007054.tif 000005
【図４】
2005007054.tif 000006